【事件の表示】
　平成　６年特許願第　８４６０２号「表示入力装置及び表示入力方法」拒絶査定不服審判事件〔平成　７年１１月１０日出願公開、特開平　７−２９５７５０〕について、次のとおり審決する。
【結　論】
　本件審判の請求は、成り立たない。
【理　由】
【1】     本願は、平成6年4月22日の出願であって、その発明を特定するために必要な事項は、平成14年7月26日付手続補正書により補正された特許請求の範囲の請求項1乃至3に記載されたものであって、その請求項1に記載された発明は次のとおりのものと認められる。
「複数の画面情報を画面入力する表示装置と、該表示装置の画面上に配設されたタッチパネルを押下することにより押下した位置に対応する情報を入力する表示入力装置において、
　前記表示装置をカラー表示をするカラー表示装置とし、
　前記タッチパネルへの押下回数を各情報毎に計数する計数手段と、
　計数された押下回数にしたがって各情報毎の表示位置の色を多段階的に変える色変換手段とを設け、
　前記計数手段はタッチパネルが押下される毎に押下回数を加算し、前記色変換手段は、押下回数が加算される毎に加算された押下回数に対応する色を選択するようにしたことを特徴とする表示入力装置。」
　
【2】     これに対して、原査定の拒絶の理由に引用された特開平4-329421号公報（以下、「引例1」という。）には以下のことが記載されている。
（イ）図５はこの種の装置の従来例を示す機能ブロック図である。この図において、５１はキー表示等を行う表示装置、５２はこの表示装置５１上に設けられた透明タッチパネル、５３はビデオメモリ、５４はファンクションキー、５５は画面切り換えキー、５６はメモリ切り換えスイッチ、５７はメモリ、５８はインタフェース、５９はＣＰＵ，プログラムメモリ（ＲＯＭ），汎用メモリ（ＲＡＭ）等で構成され本装置全体を制御する制御部である。（段落0002、図5）
（ロ）　一方、このような項目キー群の分類がなされている項目入力画面におけるさらに選択しやすい改良として、項目キーの色分けによる分類がある。たとえば、図８に示されているように、使用頻度により項目キーを色分けしておくものである。このようにすれば、使用頻度の高い駅、たとえば、「上野」を選択したい場合、図８において、使用頻度が非常に高いという定義の「使用頻度５」の色調で色分けされている「上野」、「池袋」、「新宿」、「渋谷」、「東京」の項目キー群から容易に選択することができる。（段落0005、図8）
（ハ）　図１は図２における制御部９の構成を詳細に説明するためのブロック図である。制御部９は、表示制御手段１０、タッチパネルキー検出手段１１、項目キー選択カウンタ１２、項目キー選択回数レジスタ１３、色彩情報変換手段１４、項目キー選択回数レジスタ初期化手段１５、画面切り換えキー検出手段１６、ファンクションキー検出手段１７および送出手段１８とから構成されている。（段落0012、図1）
（ニ）図３は、ある時点における項目キー選択回数レジスタ１３の各項目キーの選択回数を示す図であり、このとき、表示装置１には図８に示されているような色分けの項目キー表示がなされている。ここで、オペレータが透明タッチパネル２を介して項目エリア、たとえば、図８における項目キー「ａ−３：池袋」にタッチすると、タッチパネルキー検出手段１１は、入力したキーが項目キー「ａ−３：池袋」であることを検出し、その後、項目キー選択カウンタ１２が図４に示されている項目キー選択回数レジスタ１３中の該当する項目キーの選択回数レジスタ「ｂ−１」を選択回数＝１０００から１００１に更新する。この選択回数レジスタの内容に対応した色分けへの更新は、所定時ごとに、たとえば、電源投入時に行われる。
　所定の時間内、すなわち、電源投入から電源切断までの間に、たとえば図３の選択回数レジスタ「ｂ−２」，「ｂ−３」がそれぞれ１０２３回，１１２１回カウントされると、次の電源投入時に色彩情報変換手段１４が起動した時に、選択回数レジスタ１３に格納されている該当項目キーの選択回数が読みとられ、メモリ７に格納されている前回の表示データ中の色彩情報を前回「９２４＝色調４」，「９８１＝色調４」から今回「１０２３＝色調５」，「１１２１＝色調５」にそれぞれ更新する。更新された表示データは表示制御手段１０に送られ、ビデオメモリ３を介して、表示装置１の項目キー群を図４に「ｃ−２」，「ｃ−３」として示されているような新たな色分けに変換する。 （段落0013、段落0014、図3）
　同じく、原査定の拒絶の理由に引用された特開平4-195215号公報（以下、「引例2」という。）には以下のことが記載されている。
（ホ）この発明は上記第1の目的を達成するため、ＬＣＤやＣＲＴ等の表示デバイスの画面上に透明タッチパネルを取り付けた表示装置と、その画面に各種のキーを表示して透明タッチパネルからの信号によってタッチされたキーを判別して管理制御する手段とを備えた表示入力装置において、タッチされた各キーの使用頻度を記憶するキー使用頻度記憶手段と、キータッチが所定回数を超えた時にキー使用頻度記憶手段によって記憶された各キーの使用頻度を判別して、使用頻度が所定値以下のキーの表示を削除するかもしくは表示輝度又は濃度を低下させる手段とを設けたものである。
　あるいは、各キーの使用頻度を判別して、使用頻度が所定値以上のキーの表示輝度又は濃度を高めるか、あるいは他のキーと異なる色で表示させる手段を設けてもよい。（2頁右上欄13行〜同頁左下欄8行）
（ヘ）総タッチ回数が所定値（この所定値は使用者が任意に指定してもよい）を越えるまでは上述の処理を繰り返すが、所定値を越えたらユーザ管理情報中の各キーの使用頻度を検索し、使用頻度が所定値以下のキーを判別し、ユーザ管理情報中のキー表示管理情報によってそのキーをＣＲＴなら半輝度で、ＬＣＤなら濃度を低下させて表示する。（3頁左上欄20行〜同頁右上欄6行）
（ト）また、総タッチ回数が所定値を越えた時、ユーザ管理情報中の各キーの使用頻度を検索し、使用頻度が所定値以上のキーを判別し、ユーザ管理情報中のキー表示管理情報によってそのキーをＣＲＴなら輝度を、ＬＣＤなら濃度ををそれぞれ高めて表示か、あるいは他のキーと異なる色で表示するようにしてもよい。（3頁右上欄11〜17行）
　同じく、原査定の拒絶の理由に引用された特開昭62-34221号公報（以下、「引例3」という。）には、以下のことか記載されている。
（チ）このような使用レベルテーブル9の更新制御が仮想キーボードのキー入力の度に繰返し実行される。
　一方、ＣＰＵ1は上記仮想キーボードのキー入力の度に上記選択した使用レベルテーブル9の内容を参照し、各キーの使用頻度に応じて、上記表示装置7上に表示される仮想キーボードの各キーの表示形態を制御する。（3頁右上欄12〜19行）
　さらに同じく、原査定の拒絶の理由に引用された特開昭62-34222号公報（以下、「引例4」という。）には以下のことが記載されている。
（リ）このように、入力部3からのポインタ指定によりメニュ選択が行われる度に、頻度テーブル9内の使用回数の更新、及びその各使用回数をもとに選択的に頻度テーブル9のメニュの並べ替えが実行される。
　上述の如く表示装置7上に表示されたコマンドメニュの配列順序は、メニュ選択の都度、使用頻度の高い順に並べ替えられ、オペレータに認識されることから、メニュ選択作業が容易化され、表示入力操作を容易かつ迅速に行うことができる。（3頁右上欄19行〜同頁左下欄8行）
　
【3】     そこで、請求項1に記載された発明と引例1に記載された発明とを比較すると、引例1の「項目キー選択カウンタ」と「項目キー選択回数レジスタ」は請求項1の「計数手段」に相当し、引例1の「色彩情報変換手段」は請求項1の「色変換手段」に相当するから、両者は
「複数の画面情報を画面入力する表示装置と、該表示装置の画面上に配設されたタッチパネルを押下することにより押下した位置に対応する情報を入力する表示入力装置において、
　前記表示装置をカラー表示をするカラー表示装置とし、
　前記タッチパネルへの押下回数を各情報毎に計数する計数手段と、
　計数された押下回数にしたがって各情報毎の表示位置の色を多段階的に変える色変換手段とを設け、
　前記計数手段はタッチパネルが押下される毎に押下回数を加算し、前記色変換手段は、加算された押下回数に対応する色を選択する表示入力装置。」である点で一致し、
（1）色変換手段が、加算された押下回数に対応する色を選択表示するのに、請求項1のものが押下回数が加算される毎に行うのに対して、引例1のものは所定時ごとに行う点で相違する。
　
【4】     次に、この相違点（1）について検討する。
　引例2には、各キーの使用頻度を判定し、所定値以下又は以上であるときにただちに表示輝度又は濃度を低下あるいは高めあるいは異なる色とすることが記載されており、引例3、4には入力毎に対応した表示に変えることが記載されているから、色の選択表示を引例1のごとく電源投入時などの所定時ごとに行うことに代えて、請求項1のごとく押下する毎に行うことは、当該表示入力装置をどのような用途に用いるかに応じて当業者の適宜設計変更し得るところと認められる。
　
【5】     したがって、請求項1に記載された発明は、引例1乃至4に記載された発明に基づいて当業者が容易に発明をすることができたものであるので、特許法第29条第2項の規定により特許を受けることができない。
　よって、結論のとおり審決する。